(57)【要約】      （修正有）【課題】電子カードを疵や損傷から守り、安定した装着を実現するカード用コネクタを提供する。【解決手段】カード用コネクタは、電子カードの挿入配置に用い、絶縁本体と、絶縁本体上に固設する複数の端子と、絶縁本体上に被覆する金属外殻と、引出式カード取付台と、制御支持部品とを備える。絶縁本体上には前後に延伸するスライド溝を配置する。引出式カード取付台は、スライド可能状態で絶縁本体のスライド溝内に取り付ける。制御支持部品は、引出式カード取付台前端の一方側に枢着し、引出式カード取付台前端を閉じたり開いたりする。カード用コネクタにおいて、電子カードは、引出式カード取付台内に挿入し、更に引出式カード取付台と共に、絶縁本体のスライド溝内に入れるため、引出式カード取付台は、電子カードを疵や損傷から効果的に保護する。【選択図】図１
0003167543.tif 000002
【実用新案登録請求の範囲】
【請求項１】
絶縁本体と複数の端子と金属外殻と引出式カード取付台と制御支持部品とを備えるカード用コネクタにおいて、
前記絶縁本体上には前後に延伸するスライド溝を配置し、
前記金属外殻は、絶縁本体に被嵌し、
前記引出式カード取付台は、スライド可能状態で絶縁本体のスライド溝内に取り付け、底板と、それぞれが底板の一方側に突出形成される二つの側辺制御板と、底板後方部に突出形成される後方制御板とを備え、前記底板と二つの側辺制御板と後方制御板とが取り囲む状態でカード配置部を形成し、底板上には貫通する接触部を設け、引出式カード取付台前端の一側面箇所にはロック部を配置し、
前記制御支持部品は、引出式カード取付台前端のロック部に対応する一方側に枢設し、制御支持部品上にはロック部に係合する嵌合支持部を備え、嵌合支持部は係合するロック部に嵌合し、カード配置部の前端を封鎖することを特徴とするカード用コネクタ。
【請求項２】
前記金属外殻には、蓋板と、蓋板両側エッジから下方向にそれぞれ延伸する二つの側板を備え、少なくとも一つの側板前方部には弾性部をプレス成型し、弾性部末端には折り曲がった形状の鍵状嵌合部を形成し、前記引出式カード取付台の少なくとも一つの側辺制御板の外側エッジには、前方位置限定部と後方位置限定部とを配置し、前方位置限定部及び後方位置限定部は何れも、鍵状嵌合部に係合することを特徴とする請求項１に記載のカード用コネクタ。
【請求項３】
前記絶縁本体は、基板と、基板の両側エッジと後方側面エッジから上方向にそれぞれ延伸する二つの側壁と後壁とを備え、基板上には複数のスロットを設け、基板上表面のスロット両側には前後に延伸するスライド溝を配置し、二つの側壁前方部には可動溝を貫設し、金属外殻の鍵状嵌合部は可動溝を通過し前方位置限定部内に嵌入することを特徴とする請求項２に記載のカード用コネクタ。
【請求項４】
前記側壁の外側後端及び後壁外側にはそれぞれ、弾性片溝を設け、側壁外側前後両端及び後壁外側にはそれぞれ、嵌合片溝を設け、
金属外殻には、更に、蓋板後方エッジから下方向に延伸する後板を備え、側板後端と後板上にはそれぞれ弾性片をプレス成型し、側板前後両端及び後板の下端エッジには、嵌合片を延伸し、弾性片は弾性片溝を押圧する状態で嵌入し、折り曲げ後の嵌合片は、嵌合片溝内に挟持されることを特徴とする請求項３に記載のカード用コネクタ。
【請求項５】
前記端子は、スロット内に延伸する弾性接続部を備えることを特徴とする請求項３に記載のカード用コネクタ。
【請求項６】
前記引出式カード取付台のロック部に対応する一方側には枢孔を配置し、制御支持部品の一端には嵌入柱を設け、嵌入柱は、引出式カード取付台の枢孔に枢着することを特徴とする請求項１に記載のカード用コネクタ。
【請求項７】
前記嵌入柱には、制御支持部品下表面より突出する柱部と、柱部下端より外方向に延伸する柱部ヘッドと、嵌入柱上に柱部と柱部ヘッドを貫通する溝部を設け、柱部ヘッドは枢孔を貫通し、引出式カード取付台の枢孔周囲表面を圧し、柱部は枢孔内に挿設されることを特徴とする請求項６に記載のカード用コネクタ。
【考案の詳細な説明】
【技術分野】
【０００１】
本考案はカード用コネクタに関し、特に、電子カードに疵をつけたり損傷させず、安定した挿入を可能にするカード用コネクタに係る。
【背景技術】
【０００２】
公知のカード用コネクタには全て、基本台を備え、基本台には挿入スロットを設け、複数の導電端子を基本台上に取り付けて、挿入スロットに延伸挿入させている。電子カードは直接、挿入スロットの開口箇所から中に入れ、導電端子と接触させて電気的接続を実現する。
【０００３】
しかし、電子カードを前述した公知のカード用コネクタから挿入や抜取をする場合、電子カードは容易に疵つけられたり損傷し、装着が不安定となり、特に、激しい振動や横揺れがあると、電子カードはカード用コネクタから抜け落ち易くなる。
【考案の概要】
【考案が解決しようとする課題】
【０００４】
本考案の目的は、前述の現有技術中の不足点を克服し、電子カードを疵や損傷から守り、安定した装着を実現するカード用コネクタを提供することにある。
【課題を解決するための手段】
【０００５】
前述の目的を達成するために、本考案は、電子カードの挿入配置に用い、絶縁本体と、絶縁本体上に固設する複数の端子と、絶縁本体上に被覆する金属外殻と、引出式カード取付台と、制御支持部品とを備えるカード用コネクタを提供する。
前記絶縁本体上には前後に延伸するスライド溝を配置し、前記金属外殻には、蓋板と、蓋板両側エッジから下方向にそれぞれ延伸する二つの側板を備え、少なくとも一つの側板前方部には弾性部をプレス成型し、弾性部末端には折り曲がった形状の鍵状嵌合部を形成する。
前記引出式カード取付台は、スライド可能状態で絶縁本体のスライド溝内に取り付ける。引出式カード取付台には、底板と、それぞれが底板の一方側に突出形成される二つの側辺制御板と、底板後方部に突出形成される後方制御板とを備える。前記底板と二つの側辺制御板と後方制御板とが取り囲む状態でカード配置部を形成し、底板上には貫通する接触部を設け、引出式カード取付台前端の一側面箇所にはロック部を配置し、前記引出式カード取付台の少なくとも一つの側辺制御板の外側エッジには、前方位置限定部と後方位置限定部とを配置する。前記前方位置限定部及び後方位置限定部は何れも、鍵状嵌合部に係合する。制御支持部品は、引出式カード取付台前端のロック部に対応する一方側に枢着する。制御支持部品上にはロック部に係合する嵌合支持部を備える。前記嵌合支持部は、対応するロック部に嵌合し、カード配置部の前端を封鎖する。      
【考案の効果】
【０００６】
前述したとおり、本考案のカード用コネクタは、電子カードを引出式カード取付台内に配置し、更に引出式カード取付台と共に絶縁本体のスライド溝内に挿入するため、引出式カード取付台は電子カードを疵や損傷から効果的に守ることができ、使用時には、制御支持部品を引出式カード取付台の前端に結合して閉鎖するため、振動や横揺れを受けても電子カードがカード用コネクタから抜け出すことがない効果を備えるものである。
【図面の簡単な説明】
【０００７】
【図１】本考案のカード用コネクタに関する立体斜視図である。
【図２】図１に示したカード用コネクタに関する分解図である。
【図３】図１に示したカード用コネクタの絶縁本体に関する立体斜視図である。
【図４】図１に示したカード用コネクタの金属外殻に関する立体斜視図である。
【図５】図１に示したカード用コネクタの制御支持部品に関する立体斜視図である。
【図６】図１に示したカード用コネクタの引出式カード取付台を引き抜き、制御支持部品を開いた状態の立体斜視図である。
【図７】図１に示したカード用コネクタの引出式カード取付台を完全に引き抜き、制御支持部品を閉じた状態の立体斜視図である。
【考案を実施するための形態】
【０００８】
本考案の技術内容、構造特徴、それの達成する目的及び効果を詳細するために、次に図面を組み合わせた実施例を用いて説明を行なう。
【実施例】
【０００９】
図１に示すとおり、電子カードの挿入配置に用いる本考案のカード用コネクタは、絶縁本体１０と、複数の端子２０と、金属外殻３０と、引出式カード取付台４０と、制御支持部品５０とを備える。
【００１０】
図２及び図３に示す通り、絶縁本体１０は、基板１１と、基板１１の両側エッジと後方側面エッジから上方向にそれぞれ延伸する二つの側壁１２と後壁１３とを備える。前記基板１１上には複数のスロット１４を設け、基板１１上表面のスロット１４両側には前後に延伸するスライド溝１５を配置する。側壁１２の外側後端及び後壁１３外側にはそれぞれ。弾性片溝１２１及び弾性片溝１３１を設け、側壁１２外側前後両端及び後壁１３外側にはそれぞれ、嵌合片溝１２２及び嵌合片溝１３２を設け、二つの側壁１２前方部には可動溝１２３を貫設する。
【００１１】
端子２０は絶縁本体上に固設し、各端子２０の弾性接続部２１を全てスロット１４内に延伸させる。
【００１２】
図２及び図４に示す通り、金属外殻３０は、蓋板３１と、蓋板３１両側エッジと後方エッジから下方向にそれぞれ延伸する二つの側板３２と後板３３とを備える。側板３２後端と後板３３上にはそれぞれ弾性片３２１と弾性片３３１とをプレス成型し、側板３２前後両端及び後板３３の下端エッジにはそれぞれ、嵌合片３２２と嵌合片３３２を延伸する。金属外殻３０は絶縁本体１０上に被嵌し、弾性片３２１と弾性片３３１は弾性片溝１２１と弾性片溝１３１を押圧する状態で嵌入し、折り曲げ後の嵌合片３２２と嵌合片３３２は、嵌合片溝１２２と嵌合片溝１３２を挟持する。少なくとも一つの側板３２前方部には弾性部３２３をプレスし、弾性部３２３の末端を折り曲げて鍵状嵌合部３２４を形成する。
【００１３】
図２に示す通り、引出式カード取付台４０は概ね引き出し形状をなし、可動状態で絶縁本体１０のスライド溝１５内に取り付ける。引出式カード取付台４０には、底板４１と、それぞれが底板４１の一方側に突出形成される二つの側辺制御板４２と、底板４１後方部に突出形成される後方制御板４３とを備える。前記底板４１と二つの側辺制御板４２と後方制御板４３とが取り囲む状態でカード配置部４４を形成し、底板４１上には貫通する接触部４５を設け、引出式カード取付台４０前端の一側面箇所にはロック部４６を配置し、ロック部４６に対応する一方側には枢孔４９を配置する。前記引出式カード取付台４０の少なくとも一つの側辺制御板４２の外側エッジには、前方位置限定部４７と後方位置限定部４８とを配置する。前記前方位置限定部４７及び後方位置限定部４８は何れも、鍵状嵌合部３２４に係合する。
【００１４】
図２及び図５に示す通り、制御支持部品５０は、引出式カード取付台４０前端のロック部４６に対応する一方側に枢着し、引出式カード取付台４０前端を閉じたり開いたりするのに用いる。具体的には、制御支持部品５０の一端には嵌入柱５１を設け、他の一端には、ロック部４６に係合する嵌合支持部５２を配置し、前記嵌合支持部５２は、対応するロック部４６に嵌合し、カード配置部４４の前端を封鎖する。嵌入柱５１には、制御支持部品５０下表面より突出する柱部５１１と、柱部５１１下端に外方向に延伸する柱部ヘッド５１２と、嵌入柱５１上で柱部５１１と柱部ヘッド５１２を貫通する溝部５１３を設け、嵌入柱５１に弾性を備えさせる。制御支持部品５０は嵌入柱５１を引出式カード取付台４０上に枢着する。
【００１５】
図２乃至図５に、本考案のカード用コネクタの組み立てを示す。まず、端子２０を絶縁本体１０上に一体成型する。金属外殻３０は絶縁本体１０上に被嵌する。引出式カード取付台４０は可動状態で絶縁本体１０のスライド溝１５内に取り付け、端子２０の弾性接続部２１は、対応する接触部４５を通過し、底板４１の上表面に延伸させ、鍵状嵌合部３２４は、可動溝１２３を通過して前方位置限定部４７内に嵌入することにより、引出式カード取付台４０は、絶縁本体１０と金属外殻３０によって取り囲まれる空間に固定される。嵌入柱５１の柱部ヘッド５１２を引出式カード取付台４０の枢孔４９に照準を合わせて制御支持部品５０を圧すると、柱部ヘッド５１２は枢孔４９を通過して、引出式カード取付台４０の枢孔４９周囲表面を押圧する。柱部５１１が枢孔４９内に貫設されると、制御支持部品５０の一端は引出式カード取付台４０上に枢着され、更に制御支持部品５０を枢動すると、制御支持部品５０の他の一端の嵌合支持部５２がロック部４６に滑り入り、緊密に嵌合される。これにより、制御支持部品５０は引出式カード取付台４０前端を閉鎖する状態となる。
【００１６】
電子カード（未図示）を本考案のカード用コネクタに挿入する時は、制御支持部品５０の嵌合支持部５２端を動かす。嵌合支持部５２をロック部４６から離脱させ、制御支持部品５０を嵌入柱５１に沿って回転させて開き、電子カードを引出式カード取付台４０のカード配置部４４内に収め入れた後、再び制御支持部品５０を閉じればよい。また、先に引出式カード取付台４０及び制御支持部品５０を絶縁本体１０内から取り出すことも可能である。引出式カード取付台４０の抜き取りに伴い、鍵状嵌合部３２４は引出式カード取付台４０前方部の前方位置限定部４７からスライド移動し、引出式カード取付台４０後方部の後方位置限定部４８内に入ることにより、引出式カード取付台４０は絶縁本体１０に固定し絶縁本体１０からスライドして飛び出すのを防止する。その後、電子カードを引出式カード取付台４０のカード配置部４４内に挿入し、引出式カード取付台４０と制御支持部品５０を絶縁本体１０内に押し入れる。
【００１７】
電子カードを本考案のカード用コネクタから抜き取る時は、まず、制御支持部品５０を開き、制御支持部品５０を引っ張り出し、引出式カード取付台４０を引き出して、引出式カード取付台４０内の電子カードを取り出した後、再度、引出式カード取付台４０を絶縁本体１０内に押し入れ、制御支持部品５０を閉じる。
【００１８】
前述したとおり、本考案のカード用コネクタは、電子カードを引出式カード取付台４０内に挿入し、更に引出式カード取付台４０と共に、絶縁本体１０のスライド溝１５内に入れるため、引出式カード取付台４０は、電子カードを疵や損傷から効果的に保護することができる。引出式カード取付台４０は、鍵状嵌合部３２４が前方位置限定部４７内に嵌入し絶縁本体１０内に安定し、使用時には、制御支持部品５０が引出式カード取付台４０前端を閉鎖するため、振動や横揺れを受けても電子カードがカード用コネクタから抜け落ちることはない。
【符号の説明】
【００１９】
１０  絶縁本体
１１  基板
１２  側壁
１２１  弾性片溝
１２２  嵌合片溝
１２３  可動溝
１３  後壁
１３１  弾性片溝
１３２  嵌合片溝
１４  スロット
１５  スライド溝
２０  端子
２１  弾性接続部
３０  金属外殻
３１  蓋板
３２  側板
３２１  弾性片
３２２  嵌合片
３２３  弾性部
３２４  鍵状嵌合部
３３  後板
３３１  弾性片
４０  引出式カード取付台
４１  底板
４２  側辺制御板
４３  後方制御板
４４  カード配置部
４５  接触部
４６  ロック部
４７  前方位置限定部
４８  後方位置限定部
４９  枢孔
５０  制御支持部品
５１  嵌入柱
５１１  柱部
５１２  柱部ヘッド
５１３  溝部
【図１】
0003167543.tif 000003
【図２】
0003167543.tif 000004
【図３】
0003167543.tif 000005
【図４】
0003167543.tif 000006
【図５】
0003167543.tif 000007
【図６】
0003167543.tif 000008
【図７】
0003167543.tif 000009